(57)【要約】  消費電力を抑制した省電力モードで動作する角速度センサや加速度センサ等の物理量検出装置において、省電力モード時における消費電力を抑制しながら、当該物理量検出装置が正常に動作するまでの復帰時間を短縮して所望の物理量を精緻に検出することのできる物理量検出装置を提供する。  電源制御部１４１は、通信部１２５が省電力モードへの移行指示信号を受信した際に、駆動部１１１と振動方向変位量検出部１１０と駆動制御値算出部１２２と通信部１２５への電圧供給を継続すると共に、それ以外の回路部への電圧供給を停止する。
2015064349.tif 000002
【特許請求の範囲】
【請求項１】
振動子を有するセンサエレメントを用いて物理量を検出する物理量検出装置であって、
該物理量検出装置は、省電力モードへの移行もしくは解除に関する切り替え信号を受信する通信部を含む複数の回路部と、該複数の回路部への電圧供給を制御する電源制御部と、を有し、
前記電源制御部は、前記通信部が省電力モードへの移行指示信号を受信した際に、前記複数の回路部のうち前記センサエレメントの共振振動の維持に要する回路部への電圧供給を継続すると共に、それ以外の回路部への電圧供給を停止することを特徴とする物理量検出装置。
【請求項２】
前記センサエレメントの共振振動の維持に要する回路部は、前記通信部と、前記センサエレメントを駆動させて振動させる駆動部と、前記センサエレメントの振動方向の変位量を検出する振動方向変位量検出部と、前記振動方向変位量検出部により検出された変位量に対する前記センサエレメントの駆動制御値を算出する駆動制御値算出部と、からなることを特徴とする、請求項１に記載の物理量検出装置。
【請求項３】
前記電源制御部は、前記通信部が省電力モードへの移行指示信号を受信した際に、前記駆動制御値算出部から動作停止指示信号を受信して、前記それ以外の回路部への電圧供給を停止することを特徴とする、請求項２に記載の物理量検出装置。
【請求項４】
前記それ以外の回路部は、前記センサエレメントの前記振動子のコリオリ力による変位量を検出するコリオリ力変位量検出部と、前記コリオリ力変位量検出部により検出された変位量から前記物理量を算出する物理量算出部と、を含むことを特徴とする、請求項２に記載の物理量検出装置。
【請求項５】
前記通信部が省電力モードへの移行指示信号を受信した際に、前記駆動制御値算出部が前記コリオリ力変位量検出部へ処理停止指示信号を送信し、前記コリオリ力変位量検出部は、前記駆動制御値算出部から前記処理停止指示信号を受信した際に一連の処理シーケンスが完了した後に動作を停止し、前記駆動制御値算出部は、前記コリオリ力変位量検出部の動作の停止を確認した後に前記電源制御部へ動作停止指示信号を送信し、前記電源制御部は、前記駆動制御値算出部から前記動作停止指示信号を受信して前記コリオリ力変位量検出部と前記物理量算出部への電圧供給を停止することを特徴とする、請求項４に記載の物理量検出装置。
【請求項６】
前記電源制御部は、外部電源と前記それ以外の回路部との間に配設される電圧レギュレータの動作を停止することにより、前記それ以外の回路部への電圧供給を停止することを特徴とする、請求項１に記載の物理量検出装置。
【請求項７】
前記電源制御部は、外部電源と前記それ以外の回路部との間に配設されるＭＯＳスイッチをオフすることにより、前記それ以外の回路部への電圧供給を停止することを特徴とする、請求項１に記載の物理量検出装置。
【請求項８】
前記通信部は、前記物理量検出装置の省電力モードへの移行もしくは解除が完了した際に、外部装置に対して移行完了通知もしくは解除完了通知を送信することを特徴とする、請求項１に記載の物理量検出装置。
【請求項９】
前記物理量検出装置は、前記複数の回路部に電圧を供給するための複数の外部入力端子を備えていることを特徴とする、請求項１に記載の物理量検出装置。
【請求項１０】
前記複数の外部入力端子は、前記複数の回路部のうちデジタル回路に接続される外部入力端子とアナログ回路に接続される外部入力端子とを含むことを特徴とする、請求項９に記載の物理量検出装置。
【発明の詳細な説明】
【技術分野】
【０００１】
本発明は、物理量検出装置に係り、例えば角速度や加速度等の物理量を検出する物理量検出装置に関する。
【背景技術】
【０００２】
従来から、慣性センサの一種である角速度センサによって車体の回転角度をリアルタイムに検出し、車体の走行状態（例えば、横滑りや横転等）を制御する走行制御システムが知られている。また、慣性センサの一種である加速度センサによって携帯電話の傾斜を検知し、出力画面の方向を変化させるシステム等も知られている。このような慣性センサ、特にＭＥＭＳ（Micro Electro Mechanical System）技術を用いて作成された慣性センサは、例えば固定電極と可動電極と慣性体（振動子）等から構成され、物理的な力によって慣性体が動作した量を固定電極と可動電極間の静電容量の変化から検出することで、慣性体に働いた物理量を算出する。【０００３】
ところで、自動車等の車両の走行制御システムに搭載される電装機器は、駐停車の際のエンジン停止に起因するバッテリ電圧の低下、すなわち供給電圧の低下に対応する必要がある。そのため、例えば自動車分野においては、エンジンの運転状態を制御するエンジンコントロールユニット（ＥＣＵ）により、エンジン停止時に前記電装機器を消費電力の少ない省電力モードに移行させる技術が採用されており、このような省電力モード時に慣性センサを振動させる技術が特許文献１に開示されている。【０００４】
特許文献１に開示されている慣性センサ（角速度センサ）は、低消費エネルギーで大駆動振幅を得るために、常にセンサの固有振動数と一致した駆動信号を生成して当該角速度センサをその固有振動数で駆動させるものである。
【先行技術文献】
【特許文献】
【０００５】
【特許文献１】特開２００９−１４５３２１号公報
【発明の概要】
【発明が解決しようとする課題】
【０００６】
ところで、例えば角速度センサ等の慣性センサは、該慣性センサに内蔵される振動子が所定の周波数と振幅で安定的に振動している状態で物理量（例えば角速度等）を検出する必要があるものの、その振動子は、一旦停止状態となると、その停止状態から安定的な振動状態に復帰するまでに所定の時間を要することが知れている。【０００７】
上記した省電力モード時においては、消費電力をより一層抑制するために、電装機器に外部から供給される電圧（供給電圧）を一時的に所定値まで低下させたり、停止する（瞬断する）ことが考えられるものの、例えば角速度センサ等の慣性センサに対する電圧供給を停止すると、当該慣性センサが正常に動作するまでに時間を要し、所望の物理量を精緻に検出することが出来なくなるといった問題が生じ得る。【０００８】
本発明は、前記課題に鑑みてなされたものであって、その目的とするところは、消費電力を抑制した省電力モードで動作する角速度センサや加速度センサ等の物理量検出装置において、省電力モード時における消費電力を抑制しながら、当該物理量検出装置が正常に動作するまでの復帰時間を短縮して所望の物理量を精緻に検出することのできる物理量検出装置を提供することにある。
【課題を解決するための手段】
【０００９】
上記する課題を解決するために、本発明に係る物理量検出装置は、振動子を有するセンサエレメントを用いて物理量を検出する物理量検出装置であって、該物理量検出装置は、省電力モードへの移行もしくは解除に関する切り替え信号を受信する通信部を含む複数の回路部と、該複数の回路部への電圧供給を制御する電源制御部と、を有し、前記電源制御部は、前記通信部が省電力モードへの移行指示信号を受信した際に、前記複数の回路部のうち前記センサエレメントの共振振動の維持に要する回路部への電圧供給を継続すると共に、それ以外の回路部への電圧供給を停止することを特徴とする。
【発明の効果】
【００１０】
本発明の物理量検出装置によれば、例えば消費電力を抑制した省電力モードにおいて外部電源からの電圧供給が一時的に低下した場合であっても、物理量検出装置を構成する複数の回路部のうちセンサエレメントの共振振動に関連する回路部への電圧供給のみを継続してセンサエレメントの動作を維持し、それ以外の回路部への電圧供給を停止することにより、省電力モード時における消費電力を抑制しながら、当該物理量検出装置が正常に動作するまでの復帰時間を短縮することができ、所望の物理量を精緻に検出することができる。【００１１】
上記した以外の課題、構成及び効果は、以下の実施形態の説明により明らかにされる。
【図面の簡単な説明】
【００１２】
【図１】本発明に係る物理量検出装置の第１実施形態の内部構成を示すシステム構成図。
【図２】図１に示すデジタル信号処理部ＤＳＰ−Ａによる省電力モード移行時における処理フローを説明したフロー図。
【図３】図１に示すデジタル信号処理部ＤＳＰ−Ａによる省電力モード解除時における処理フローを説明したフロー図。
【図４】本発明に係る物理量検出装置の第２実施形態の内部構成を示すシステム構成図。
【発明を実施するための形態】
【００１３】
以下、本発明に係る物理量検出装置の実施形態を図面を参照して説明する。なお、以下では、主に物理量検出装置として角速度センサを採用した形態について説明するが、例えば加速度センサ等に適用し得ることは勿論である。
【００１４】
＜第１実施形態＞
図１は、本発明に係る物理量検出装置としての角速度センサの第１実施形態の内部構成を示したものである。
【００１５】
図示する角速度センサ１００は、主に、角速度センサエレメント（センサエレメント）１０１と、容量検出部（振動方向変位量検出部）１１０と駆動信号生成部（駆動部）１１１と容量検出部（コリオリ力変位量検出部）１１２とデジタル信号処理部ＤＳＰ−Ａ（駆動制御値算出部）１２２とデジタル信号処理部ＤＳＰ−Ｂ（物理量算出部）１２３と通信部１２５と電源制御部１４１とを含む複数の回路ブロック（回路部）と、を備えている。
【００１６】
角速度センサエレメント１０１は、振動子１０２、固定電極１０８および１０９、電極１０４および１０５、固定電極１０６および１０７を備えている。
【００１７】
角速度センサエレメント１０１の振動子１０２は所定の質量を有し、所定の振動周波数で所定の振動軸方向に振動する。固定電極１０８および１０９は、振動子１０２の振動方向の振動振幅および振動周波数を調整するために静電気力を作用させる。電極１０４および１０５は、振動子１０２の振動振幅および振動周波数を静電容量の変化によって検出する。固定電極１０６および１０７は、角速度を印加すると生じるコリオリ力により前記振動軸と直交する方向に振動子１０２に生じる変位を静電容量の変化によって検出する。
【００１８】
容量検出部１１０は、角速度センサエレメント１０１と固定電極１０４の間の静電容量および角速度センサエレメント１０１と固定電極１０５の間の静電容量の差分を検出することにより、角速度センサ１０１に働く振動方向の変位量を検出し、その検出結果をバスライン１２０を介してＲＡＭ（Read Only Memory）１２１に格納する。
【００１９】
デジタル信号処理部ＤＳＰ−Ａ１２２は、ＲＡＭ１２１から容量検出部１１０で得られた振動子１０２の振動方向の変位量を読み出し、振動子１０２の駆動方向の振動が角速度センサエレメント１０１の機械的共振振動に近づくようにその変位量に対する周波数制御値および振幅制御値（駆動制御値）を算出し、その算出結果をバスライン１２０を介して駆動信号生成部１１１へ出力する。
【００２０】
駆動信号生成部１１１は、デジタル信号処理部ＤＳＰ−Ａ１２２から出力された周波数制御値および振幅制御値に応じて周波数および振幅を調整する交流の駆動信号を生成し、その駆動信号に基づき固定電極１０８および１０９を制御して角速度センサエレメント１０１を所定の周波数および振幅で振動させる。
【００２１】
このような容量検出部１１０、デジタル信号処理部ＤＳＰ−Ａ１２２、および駆動信号生成部１１１による制御はフィードバック制御となっており、角速度センサエレメント１０１をその共振振動状態に到達させて維持する。
【００２２】
また、容量検出部１１２は、振動子１０２と固定電極１０６の間の静電容量および振動子１０２と固定電極１０７の間の静電容量の差分を検出することにより、振動子１０２に働くコリオリ力による変位量を検出し、その検出結果をバスライン１２０を介してＲＡＭ１２１に格納する。
【００２３】
デジタル信号処理部ＤＳＰ−Ｂ１２３は、ＲＡＭ１２１から容量検出部１１２で得られた振動子１０２の変位量を読み出し、上記の共振振動状態における共振周波数で同期検波を行い、その変位量に対する振幅値を検出し、その検出結果（振幅値）をＲＡＭ１２１に格納する。その後、デジタル信号処理部ＤＳＰ−Ｂ１２３は、ＲＡＭ１２１に格納した振幅値に対し、温度センサ１１３による検出値とＲＯＭ（Random Access Memory）１２４に予め格納されている補正係数とを用いて温度補正演算を行い、検出結果（振幅値）に含まれる温度に依存したオフセットを除去する。また、デジタル信号処理部ＤＳＰ−Ｂ１２３は、ローパスフィルタ処理を実行して高周波ノイズ成分を除去した後、その振幅値を角速度検出値としてＲＡＭ１２１へ格納する。
【００２４】
通信部１２５は、角速度センサ１００と外部装置との間のデータ通信を成立させるもので、例えばデジタル信号処理部ＤＳＰ−Ｂ１２３で得られた角速度検出値をＲＡＭ１２１から読み出し、通信端子１２６を介して所定の外部装置に送信する。また、通信部１２５は、通信端子１２６を介して外部装置から、加速度センサ１００の省電力（低消費電力）モードの切り替え信号（移行指示信号又は解除指示信号）を受信する。ここで、通信部１２５は、例えばデジタル通信インタフェースであって、３線式のＳＰＩバスや２線式のＩ２Ｃバス等のシリアル通信バスであってもよい。また、上記したＲＡＭ１２１は、例えばＳＲＡＭ（Static Random Access Memory）で構成される複数の格納領域を有するランダム・アクセス・メモリであって、デジタル信号処理部ＤＳＰ-Ａ１２２やデジタル信号処理部ＤＳＰ-Ｂ１２３で処理された演算結果を格納したり、演算途中の値を一時的に格納することができる。
【００２５】
電源制御部１４１は、電源入力端子１３０を介して角速度センサ１００の外部に設けられた外部電源（例えば車載バッテリ）（不図示）から供給される電圧を上記した容量検出部１１０等の複数の回路ブロックの動作電圧へ変換する電圧レギュレータ１３１、１３２、１３４および１３５の動作状態を制御している。
【００２６】
ここで、電圧レギュレータ１３１は、外部電源から供給された電圧を容量検出部１１２および温度センサ１１３の動作電圧へ変換し、変換後の電圧を当該容量検出部１１２等へ供給する。また、電圧レギュレータ１３２は、外部電源から供給された電圧を容量検出部１１０および駆動信号生成部１１１の動作電圧へ変換し、変換後の電圧を当該容量検出部１１０等へ供給する。また、電圧レギュレータ１３４は、外部電源から供給された電圧をＲＡＭ１２１、デジタル信号処理部ＤＳＰ−Ａ１２２、通信部１２５、電源制御部１４１の動作電圧へ変換し、変換後の電圧を当該ＲＡＭ１２１等へ供給する。また、電圧レギュレータ１３５は、外部電源から供給された電圧をデジタル信号処理部ＤＳＰ−Ｂ１２３およびＲＯＭ１２４の動作電圧へ変換し、変換後の電圧を当該デジタル信号処理部ＤＳＰ−Ｂ１２３等へ供給する。
【００２７】
電源制御部１４１は、通信部１２５が外部装置から省電力モードへの移行指示信号を受信し、それに伴いデジタル信号処理部ＤＳＰ−Ａ１２２から各電圧レギュレータの動作停止指示信号を受けると、電圧レギュレータ１３２および１３４を動作状態としたままで、電圧レギュレータ１３１および１３５を動作停止状態とし、それらに繋がる回路ブロック（容量検出部１１２、温度センサ１１３、デジタル信号処理部ＤＳＰ−Ｂ１２３、およびＲＯＭ１２４）への電圧供給を停止する。
【００２８】
また、電源制御部１４１は、通信部１２５が外部装置から省電力モードの解除指示信号を受信し、それに伴いデジタル信号処理部ＤＳＰ−Ａ１２２から各電圧レギュレータの動作復帰（起動）指示信号を受けると、電圧レギュレータ１３１および１３５を動作状態とし、それらに繋がる回路ブロックへの電圧供給を再開する。
【００２９】
このような各電圧レギュレータの制御による各回路ブロックへの電圧供給は、主にデジタル信号処理部ＤＳＰ−Ａ１２２により制御されている。図２および図３はそれぞれ、図１に示すデジタル信号処理部ＤＳＰ−Ａによる省電力モード移行時および省電力モード解除時における処理フローを具体的に説明したものである。
【００３０】
図２に示すように、省電力モードへの移行時には、通信部１２５が外部装置から省電力モードへの移行指示信号（切り替え信号）を受信する（Ｓ２０１）と、デジタル信号処理部ＤＳＰ−Ａ１２２は、デジタル信号処理部ＤＳＰ-Ｂ１２３へ処理停止指示信号を出力する（Ｓ２０２）。デジタル信号処理部ＤＳＰ-Ｂ１２３は、デジタル信号処理部ＤＳＰ−Ａ１２２から処理停止指示信号を受信すると、一連の処理シーケンスが完了した後に動作を停止する（Ｓ２０３）。デジタル信号処理部ＤＳＰ−Ａ１２２は、デジタル信号処理部ＤＳＰ-Ｂ１２３の動作停止を確認した後、電源制御部１４１に対し、電圧レギュレータ１３１および１３５の動作停止指示信号を出力する（Ｓ２０４）。また、デジタル信号処理部ＤＳＰ−Ａ１２２は、通信部１２５に対し、省電力モード移行完了通知指示信号を出力する（Ｓ２０５）。電源制御部１４１は、デジタル信号処理部ＤＳＰ−Ａ１２２から電圧レギュレータ１３１および１３５の動作停止指示信号を受けると、電圧レギュレータ１３１および１３５を動作停止状態とする。また、通信部１２５は、デジタル信号処理部ＤＳＰ−Ａ１２２から省電力モード移行完了通知指示信号を受信すると、外部装置（例えばマイコン）等に対して、角速度センサ１００の省電力モードへの移行が完了したことを通知する。
【００３１】
一方で、図３に示すように、省電力モードの解除時には、通信部１２５が外部装置から省電力モードの解除指示信号（切り替え信号）を受信する（Ｓ３０１）と、デジタル信号処理部ＤＳＰ−Ａ１２２は、電源制御部１４１に対し、電圧レギュレータ１３１および１３５の動作復帰（起動）指示信号を出力する（Ｓ３０２）。その後、デジタル信号処理部ＤＳＰ-Ｂ１２３への電圧供給が再開されてから（Ｓ３０３）、デジタル信号処理部ＤＳＰ-Ａ１２２は、自らの処理シーケンスに同期するタイミングでデジタル信号処理部ＤＳＰ−Ｂ１２３の処理シーケンスを再開させる（Ｓ３０４）。また、デジタル信号処理部ＤＳＰ-Ａ１２２は、通信部１２５に対し、省電力モード解除完了通知指示信号を出力する（Ｓ３０５）。通信部１２５は、デジタル信号処理部ＤＳＰ−Ａ１２２から省電力モード解除完了通知指示信号を受信すると、外部装置（例えばマイコン）等に対して、角速度センサ１００の省電力モードの解除が完了したことを通知する。
【００３２】
このように、本第１実施形態の角速度センサ１００では、複数の電圧レギュレータ、特に省電力モード時に電圧供給を維持する必要のある回路ブロック（角速度センサエレメント１０１の共振振動の維持に要する回路ブロック）に繋がる電圧レギュレータと省電力モード時に電圧供給を停止し得る回路ブロックに繋がる電圧レギュレータを有し、外部からの省電力モードへの移行指示信号に基づいて、角速度センサ１００の角速度センサエレメント１０１の共振振動を維持する処理に必要な回路ブロックのみに電圧が供給されるように選択的に電圧レギュレータを停止し、角速度センサエレメント１０１の共振振動の維持に要する回路ブロックへの電圧供給を継続すると共に、それ以外の回路ブロックへの電圧供給を停止する。これにより、省電力モード状態を維持して省電力モード時における消費電力を抑制しながら、省電力モード解除時のセンサ機能の復帰時間を短縮することができ、所望の角速度（物理量）を精緻に検出することができる。
【００３３】
また、各電圧レギュレータの制御による各回路ブロックへの電圧供給が、角速度センサ１００を構成する複数の回路ブロックのうち、省電力モード時に電圧供給を維持する必要のある回路ブロック（角速度センサエレメント１０１の共振振動の維持に要する回路ブロック）の一つであるデジタル信号処理部ＤＳＰ−Ａ１２２によって制御されることにより、消費電力が低下した省電力モード時において、各回路ブロックへの電圧供給を確実に制御することができる。
【００３４】
＜第２実施形態＞
図４は、本発明に係る物理量検出装置としての角速度センサの第２実施形態の内部構成を示したものである。図４に示す第２実施形態は、図１に示す第１実施形態に対して、電源入力が二系統設けられ、一方の系統に電圧レギュレータが接続され、他方の系統にＭＯＳスイッチが挿入されている点が相違しており、その他の構成は第１実施形態と同様である。したがって、第１実施形態と同様の構成には同様の符号を付してその詳細な説明は省略する。
【００３５】
図４に示す第２実施形態の角速度センサ１００Ａは、二つの電源入力端子１３０Ａ、３０１Ａが設けられ、一方の電源入力端子１３０Ａのみに電圧レギュレータ１３１Ａ、１３２Ａが接続されている。このような構成の角速度センサ１００Ａは、例えば、アナログ回路用電源とデジタル回路用電源を分離し、それぞれの回路に独立に電圧を供給するものである。このような構成によれば、デジタル回路で発生したノイズが、電源ラインを通してアナログ回路へ漏れ込むことを回避し得る。また、デジタル回路は電源電圧の変動の影響を受け難いことから、電圧レギュレータを介さずに直接的にその回路ブロックへ電源を供給することができる。また、このような構成の角速度センサ１００Ａでは、省電力モード時に電圧供給を停止させ得るデジタル信号処理部ＤＳＰ−Ｂ（物理量算出部）１２３ＡやＲＯＭ１２４Ａに繋がる電源ラインにＭＯＳスイッチ３０２Ａを挿入し、前記省電力モード時に、このＭＯＳスイッチ３０２ＡをＯＦＦ（オフ）することにより、上記した第１実施形態と同様の作用効果を実現し得る。
【００３６】
具体的には、本第２実施形態の角速度センサ１００Ａでは、デジタル回路である電源制御部１４１Ａ、ＲＡＭ１２１Ａ、デジタル信号処理部ＤＳＰ−Ａ１２２Ａ、および通信部１２５Ａに、電源入力端子３０１Ａを介して、外部電源から直接的に電圧が供給される。また、デジタル信号処理部ＤＳＰ−Ｂ１２３ＡやＲＯＭ１２４Ａに繋がる電源ラインにＭＯＳスイッチ３０２Ａが挿入され、デジタル回路であるデジタル信号処理部ＤＳＰ−Ｂ１２３ＡおよびＲＯＭ１２４Ａには、電源入力端子３０１ＡおよびＭＯＳスイッチ３０２Ａを介して、外部電源から電圧が供給される。
【００３７】
また、上記した第１実施形態の角速度センサ１００と同様、アナログ回路である容量検出部１１２Ａおよび温度センサ１１３Ａには、電源入力端子１３０Ａおよび電圧レギュレータ１３１Ａを介して、外部電源から電圧が供給される。また、アナログ回路である容量検出部１１０Ａおよび駆動信号生成部１１１Ａには、電源入力端子１３０Ａおよび電圧レギュレータ１３２Ａを介して、外部電源から電圧が供給される。
【００３８】
電源制御部１４１Ａは、電圧レギュレータ１３１Ａおよび１３２Ａの動作状態とＭＯＳスイッチ３０２Ａのオンオフを制御しており、通信部１２５Ａが外部装置から省電力モードへの移行指示信号を受信し、それに伴いデジタル信号処理部ＤＳＰ−Ａ１２２Ａから各電圧レギュレータの動作停止指示信号等を受けると、電圧制御部１４１Ａは電圧レギュレータ１３１Ａへ動作停止指示信号を出力し、電圧レギュレータ１３２Ａを動作状態としたままで、電圧レギュレータ１３１Ａを動作停止状態とし、それらに繋がる回路ブロック（容量検出部１１２Ａ、温度センサ１１３Ａ）への電圧供給を停止する。また、電源制御部１４１Ａは、ＭＯＳスイッチ３０２Ａをオフ状態とし、それらに繋がる回路ブロック（デジタル信号処理部ＤＳＰ−Ｂ１２３Ａ、ＲＯＭ１２４Ａ）への電圧供給を停止する。
【００３９】
なお、通信部１２５Ａが外部装置から省電力モードの解除指示信号を受信し、電源制御部１４１Ａがデジタル信号処理部ＤＳＰ−Ａ１２２Ａから各電圧レギュレータの動作復帰（起動）指示信号等を受けると、電圧レギュレータ１３１Ａを動作状態とし、ＭＯＳスイッチ３０２Ａをオン状態とし、それらに繋がる回路ブロックへの電圧供給を再開する。
【００４０】
このように、本第２実施形態の角速度センサ１００Ａでは、電源入力が二系統設けられ、一方の系統のみに電圧レギュレータが配設され、他方の系統にＭＯＳスイッチが配設されている場合であっても、外部からの省電力モードへの移行指示信号に基づいて、角速度センサ１００Ａの共振振動を維持する処理に必要な回路ブロックのみに電圧が供給されるように選択的に電圧レギュレータを停止したりＭＯＳスイッチのオンオフを切り替え、角速度センサエレメント１０１の共振振動の維持に要する回路ブロックへの電圧供給を継続すると共に、それ以外の回路ブロックへの電圧供給を停止することにより、省電力モード状態を維持して省電力モード時における消費電力を抑制しながら、省電力モード解除時のセンサ機能の復帰時間を短縮することができ、所望の角速度（物理量）を精緻に検出することができる。
【００４１】
なお、本発明は上記した第１及び第２実施形態に限定されるものではなく、様々な変形形態が含まれる。例えば、上記した第１及び第２実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、実施形態の構成の一部について、他の構成の追加・削除・置換をすることが可能である。
【００４２】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４３】
１００  角速度センサ
１０１  角速度センサエレメント（センサエレメント）
１０２  振動子
１０４、１０５  電極
１０６、１０７  固定電極
１０８、１０９  固定電極
１１０  容量検出部（振動方向変位量検出部）
１１１  駆動信号生成部（駆動部）
１１２  容量検出部（コリオリ力変位量検出部）
１１３  温度センサ
１２０  バスライン
１２１  ＲＡＭ
１２２  デジタル信号処理部ＤＳＰ−Ａ（駆動制御値算出部）
１２３  デジタル信号処理部ＤＳＰ−Ｂ（物理量算出部）
１２４  ＲＯＭ
１２５  通信部
１２６  通信端子
１３０  電源入力端子
１３１、１３２、１３４、１３５  電圧レギュレータ
１４１  電源制御部
３０１Ａ  電源入力端子
３０２Ａ  ＭＯＳスイッチ
【図１】
2015064349.tif 000003
【図２】
2015064349.tif 000004
【図３】
2015064349.tif 000005
【図４】
2015064349.tif 000006
【国際調査報告】
2015064349.tif 000007
2015064349.tif 000008
2015064349.tif 000009
2015064349.tif 000010